(57)【要約】【課題】釣り上げた魚の口を挟持する挟持部３と、該挟持した魚の体重測定が握り部に内装して構成される量り部２できるようにした魚掴み器１を有効に用いて簡単にリールのトラグ力調整ができるようにする。【解決手段】量り部２を構成する可動体１０に設けられる量り用目盛り１０ａに対し、これに並列した状態で該量り用メモリ１０ａから引き出すようにして、使用するテグスの強度に所定の定数（例えば２５％）を乗じたドラグ力を、該テグス強度を示すポンドの数値で表示するようにした。【選択図】図７
2006204300.tif 000002
【特許請求の範囲】
【請求項１】
握り部に内装され、可動体が弾機に弾持されて構成される量り部と、該量り部の可動体に連結され、操作部の操作で魚の口を挟持できる挟持部とを備えて構成される魚掴み器において、前記可動体の外周面に魚体の重量表示をする量り用目盛りを設けるにあたり、前記可動体外周面には、リールのドラグ力を表示するドラグ用目盛りが設けられていることを特徴とする魚掴み器。
【請求項２】
請求項１において、ドラグ用目盛りは、使用するテグスの強度に所定の定数を乗じたものであることを特徴とする魚掴み器。
【請求項３】
請求項１または２の何れか一つにおいて、ドラグ用目盛りは、使用するテグスの強度を示す数値で示されていることを特徴とする魚掴み器。
【請求項４】
請求項１乃至３の何れか一つにおいて、ドラグ用目盛りは、量り用目盛りに並列して設けられていることを特徴とする魚掴み器。
【請求項５】
請求項１乃至４の何れか一つにおいて、ドラグ用目盛りは、量り用目盛りから引き出されて設けられていることを特徴とする魚掴み器。
【発明の詳細な説明】
【技術分野】
【０００１】
本発明は、海や川等で釣り上げた魚を掴む挟持部と共に、その体重を測定できる量り部が設けられた魚掴み器の技術分野に属するものである。
【背景技術】
【０００２】
今日、釣り上げた魚を放流するというスポーツフィッシングが盛んになり、このような場合、釣り上げた魚を手で掴んで針を外すと、魚体表面のヌルが手に付くだけでなく、これによって魚体が傷ついたりして魚が弱り、折角放流しても厳しい自然環境の中で生き抜くことが難しいという問題がある。そこで魚の口を挟持して魚を掴む魚掴み器が提唱されている（例えば特許文献１参照）。ところがこのものは、単に魚の口を挟持して魚を掴むものであって魚の体重までは測定することができないという問題がある。
これに対し、魚の口を挟持した状態で量りを構成している握り部を持って持上げることで魚の体重測定ができるようにしたものが提唱されている（例えば特許文献２参照）。
【特許文献１】特開２００２−４５０９８号公報
【特許文献２】ＵＳＰ５１１９５８５号公報
【発明の開示】
【発明が解決しようとする課題】
【０００３】
ところでリールを用いて魚釣りをする場合、リールのドラグ力を調整し、これによって魚の引き力がドラグ力より大きい場合、リールのスプールが逆転して道糸を送り出すようにし、これによって使用しているテグスのうちの一番弱いテグス（道糸やハリス等）が切れてしまうのを防止するようにして釣ることが要求される。そしてこのようなドラグ力は、テグス強度の例えば２５％等の所定の定数を乗じた数値に設定されるが、これを前記魚の体重が量れる魚掴み器を利用して調整しようとした場合、体重測定をする量り用目盛りしかないため、テグス強度からいちいちドラグ力を算出し、この算出した数値に基づいてドラグ力調整をしなければならず面倒かつ煩雑であり、特にテグス強度がポンドで示されているような場合、ポンドをキログラム換算し、さらに前記定数を乗じる計算をしなければならないことになってきわめて面倒であるという問題があり、しかもこのように演算されるドラグ力は端数が出るため、量り用目盛りと一致することは殆んどなく、このため正確なドラグ力調製ができないという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、握り部に内装され、可動体が弾機に弾持されて構成される量り部と、該量り部の可動体に連結され、操作部の操作で魚の口を挟持できる挟持部とを備えて構成される魚掴み器において、前記可動体の外周面に魚体の重量表示をする量り用目盛りを設けるにあたり、前記可動体外周面には、リールのドラグ力を表示するドラグ用目盛りが設けられていることを特徴とする魚掴み器である。
請求項２の発明は、請求項１において、ドラグ用目盛りは、使用するテグスの強度に所定の定数を乗じたものであることを特徴とする魚掴み器である。
請求項３の発明は、請求項１または２の何れか一つにおいて、ドラグ用目盛りは、使用するテグスの強度を示す数値で示されていることを特徴とする魚掴み器である。
請求項４の発明は、請求項１乃至３の何れか一つにおいて、ドラグ用目盛りは、量り用目盛りに並列して設けられていることを特徴とする魚掴み器である。
請求項５の発明は、請求項１乃至４の何れか一つにおいて、ドラグ用目盛りは、量り用目盛りから引き出されて設けられていることを特徴とする魚掴み器である。
【発明の効果】
【０００５】
請求項１の発明とすることにより、魚掴み器を利用してのドラグ力調整が簡単にできることになる。
請求項２の発明とすることにより、テグス強度に対応したドラグ力調整ができることになる。
請求項３の発明とすることにより、ドラグ用目盛りを見ることで、テグス強度に対応したドラグ調整ができることになる。
請求項４の発明とすることにより、ドラグ用目盛りと量り用目盛りとの対応が直ぐに判って使い勝手の良いものになる。
請求項５の発明とすることにより、テグス強度が近しいもの同志のドラグ用目盛りが重なり合ったりすることを防止して見やすいものにできることになる。
【発明を実施するための最良の形態】
【０００６】
次ぎに、本発明の実施の形態について図面に基づいて説明する。図中、１は魚掴み器であって、該魚掴み器１は量り部２と挟持部３とで構成されているが、量り部２はバネ量りであって、紡錘筒状となった握り部４を用いて構成されている。握り部４の筒４ａ内には、円筒形状をしたガイド筒５が上下貫通状に組み込まれており、握り部４から上下に突出している突出部５ａ、５ｂの外周に螺子溝が刻設され、該突出部５ａ、５ｂに上下ホルダ６、６ａをそれぞれ螺合することで、ガイド筒５の握り部４への取付けができるようになっている。ガイド筒５には、キャップ７が抜止め状態でかつ縦軸回りに回動自在に支持されており、該キャップ７の中心部には縦軸方向に螺子孔７ａが刻設されている。この螺子孔７ａには吊持ち体８がキャップ７を上下に貫通する状態で螺装されているが、該吊持ち体８のキャップ７から上方に突出する部位にはストラップ（図示せず）等の携帯具を取付けるための貫通孔８ａが形成され、またキャップ７から下方に突出する部位８ｂには量り用のコイル弾機９の一端部（上端部）が係止されている。尚、４ｂは握り部４と上下ホルダ６、６ａ間に介装した座金である。
【０００７】
１０は上側が開口している有底円筒状をした可動体であって、該可動体１０の上端部には前記コイル弾機９が遊嵌状に内装されているが、コイル弾機９の他端部（下端部）は可動体１０を左右方向貫通状に取付けたガイドピン１１に係止されている。一方、前記ガイドピン１１の可動体１０からの左右突出部１１ａは、前記ガイド筒５の左右周部に形成した長孔状のガイド孔５ｃに摺動自在に嵌入している。そして量り部２は、可動体１０の下部側を下方に引っ張る負荷が働いた場合に、該負荷の大きさに対応してコイル弾機９が伸長し、これに基づいて可動体１０がガイド筒５の下端から下方に突出することになってバネ量りを構成しているが、該可動体１０の外周には、重量を示す秤量用目盛り１０ａが設けられている。この秤量用目盛り１０ａは、本実施の形態では単位をｋｇ（キログラム）としたものに設定（ポンド等にすることもできる）されている。尚、吊持ち体８を把持する状態でキャップ７を回すことで該吊持ち体８がキャップ７に対して上下動し、これによって可動体１０がガイド筒５に対して上下動し、これによって量り部２のゼロ点調節ができるようになっている。尚、ゼロ点調整は、量り用目盛り１０ａの０ｋｇのラインが下側ホルダ６ａの下端縁に一致するように調整することでできる。
【０００８】
さらに可動体１０の外周には、前記秤量用目盛り１０ａと並列する状態で魚釣りに使用するリール（図視せず）のドラグ表示のためのドラグ用目盛り１０ｂが設けられている。このドラグ用目盛り１０ｂは、ルアーフィッシングにおいてはテグス（道糸）強度をポンド（ｌｂ）で表示することが多く、リールは、このテグス強度に対して所定の割合（例えば２０％、２５％、３３％等、釣り人の好みや技量によって選択できるが、本実施の形態では２５％を選択した場合を例として説明する）を乗じたドラグ力に設定される。つまり、６ポンド強度のテグスをリールに巻いたものであれば、リールは、０．４５３６（＝１ポンド）×６×０．２５≒０．６８０ｋｇのドラグ力のものに設定され、そこで前記秤量用目盛り１０ａの０．６８０ｋｇに相当するところに、前記６ポンドの数値である「６」の印をつけ、これを引き出して「６」の数値を設けており、これによって釣り人はリールのドラグ力をテグス強度に合わせて簡単に調整することができるようになっている。尚、ドラグ力のセットは、前述したように釣り人の技量や好み等によって選択されるため、可動体１０に設けられるドラグ用目盛り１０ｂを、乗じる割合に対応させて複数組み設けたものとし、釣り人に選択させるようにしても勿論良い。複数組みのドラグ用目盛りを設ける場合、例えば量り用目盛り１０ａの両側に分けて設けたり、量り用目盛り１０ａがない側の可動体１０の外周面に設けたりすることができる。
【０００９】
一方、挟持部３は、量り部２を構成する可動体１０の下端部に一体的に取り付けられているが、可動体１０の下端部は、前記目盛り１０ａ、１０ｂが設けられた部位を避けるようにして所定の肉厚を有する状態で両周面が凹溝状に刻設されて取り付け部１０ｄが形成され、該取り付け部１０ｄに挟持部３を構成する第一、第二の本体１１、１２の上端部１１ａ、１２ａが該取り付け部１０ｄを両側から挟む状態でビス１０ｅにより固定されており、これによって第一、第二本体１１、１２は、前記取り付け部１０ｄの肉厚相当分だけ離間対向した状態で組み付けられる。そして第一、第二本体１１、１２の対向間には、魚の顎（下顎）を挟持するための固定歯１３、可動歯１４、該可動歯１４を揺動作動させるための作動体１５、そして該作動体１５の作動操作を行うための操作体１６が介装されている。
【００１０】
前記第一、第二本体１１、１２は、上端部１１ａ、１２ａから続く状態で互いに左右対向方向に膨出した膨出部１１ｂ、１２ｂが形成され、該膨出部１１ｂ、１２ｂにより指を差し込むことができる差込み空間Ｓが形成されている。そして第一、第二本体１１、１２は下半部が互いにオーバーラップ（積層）する状態になっており、第一本体１１の下端部には、該第一本体１１の下端から下方に突出する状態で鎌形状になった固定歯１３がビス１３ａにより固定されている。
【００１１】
一方、可動歯１４は、固定歯１３とは逆向きの鎌形状になっているが、両本体１１、１２の下部同志を固定するためのボルト１７に揺動孔１４ａが回動自在に軸支されている（両本体１１と１２とにはボルト１７を挿入するための螺子孔１１ｃとバカ孔１２ｄとが貫通孔として穿設されている）と共に、該揺動孔１４ａよりも上位置に穿設した作動孔１４ｂに嵌入固着せしめたピン１４ｃが、作動体１５の下端部に穿設した作動孔１５ａに揺動自在に嵌入している。作動体１５は、第一本体１１に刻設した凹溝１１ｈに、作動体１５側面が少し突出する状態で嵌合して後述する揺動作動をすることになるが、作動体１５には、前記作動孔１５ａよりも上位に位置して下側ほど固定歯１３側に寄る（偏寄する）状態で傾斜した下側長孔１５ｂと、上端部に位置する上側孔（上下方向に僅かに長孔になっている）１５ｃとが穿設されている。
【００１２】
また操作体１６には、作動体１５の前記凹溝１１ｂから突出する部位が嵌合する凹溝１６ａが形成されていると共に、第二本体１２に設けた上下方向を向く長溝１２ｃに上下摺動自在に嵌合する突起１６ｂが突設され、該突起１６ｂの中心部に穿設した支持孔１６ｃに固定したピン１６ｄが前記下側長孔１５ｂに移動自在に内嵌係合している。
【００１３】
さらに操作体１６には、上下方向に長い一対の長孔１６ｅ、１６ｆが左右に設けられているが、これら長孔１６ｅ、１６ｆは第一、第二本体１１、１２のあいだに介装した上下（第一、第二本体１１、１２に設けたピン孔１１ｅ、１１ｆ、１２ｆ、１２ｇに嵌入する）ピン１８、１８ａが貫通している。そのうちの上側のピン１８ａは、さらに作動体１５の上側長孔１５ｃに貫通している。またさらに第一、第二本体１１、１２の中間部には、両本体１１、１２を固定するためのビス１９が挿入する孔（螺子孔）１１ｄ、（バカ孔）１２ｅが穿設されているが、該ビス１９は、操作体１６の側縁部に形成の凹溝１６ｇの溝底に当接し、これらと、前記突起１６ｂが下側長孔１５ｃに内嵌係合していることで、操作体１６は、第一、第二本体１１、１２に挟まれる状態で上下方向の移動と該移動範囲の制限がなされるようになっている。
【００１４】
さらに操作体１６には、復帰弾機２０を内装するための長孔１６ｈが形成されているが、該復帰弾機２０は、一端（下端）が孔端に支持され、他端が第一、第二本体１１、１２に形成のピン孔１１ｇ、１２ｈ間に介装したピン２１に支持され、操作体１６の上側にリング状に形成した指掛け部１６ｉに指を入れて上側に操作することに伴う操作体１６の上動で弾圧され、操作解除することで操作具１６を下側元位置に復帰するようになっている。また、２２は可動歯１４に設けられる復帰弾機である。
【００１５】
そして挟持部３は、操作体１６の未操作状態においては、復帰弾機２０、２２の付勢力を受けて操作体１６が下側の未操作位置に位置し、可動歯１４の先端が、固定歯１３の先端に突き当たり当接する閉鎖姿勢となっているが、この未操作位置においては、図９に示すように、操作体１６は、ピン１８が長孔１６ｅの上端位置に位置し、ピン１８ａが長孔１６ｆの上端位置に位置し、ビス１９が凹溝１６ｇの上端位置に位置し、かつ突起１６ｂが長孔１２ｃの下端位置に位置しており、この姿勢では、作動体１５は、ピン１６ｄが作動体下側長孔１５ｂの傾斜下端位置に位置することによって、図９におけるように可動歯１４側に位置することになり、このため可動歯１４は、先端側が固定歯１３側に揺動した挟持姿勢（閉鎖姿勢）となっている。そしてこの状態で固定歯１４を無理に開こうとしたとき、ピン１６ｄが固定歯１３側に移動する方向の負荷を受けるが、その負荷方向は、作動体１５を上側ピン１８ａを支点として左右方向固定歯１３側に揺動しようとする負荷となり、これは突起１６ｂが長孔１２ｃを横切る方向の負荷であり、かつピン１６ｄが下側長孔１５ｂを横切る方向の負荷であり、さらに操作体１６の下端縁に設けた円弧溝状のロック面１６ｊに可動歯１４の上縁部１４ｄが入り込んでいて可動歯１４が固定歯１３から離間する方向の回動を規制しており、これらによって可動歯１３の不用意な開放作動がなされて掴んでいる魚が外れてしまうことが防止できるようになっている。
【００１６】
一方、操作具１６を引き上げ操作した場合、該操作具１６は、図１０に示すように、ピン１８、１８ａ、ビス１９、突起１６ｃが前述したようにガイドされる状態で復帰弾機２０の付勢力に抗して上動し、ピン１８、１８ａは長孔１６ｅ、１６ｆの下端位置に、またビス１９は凹溝１６ｇの下端位置に、突起１６ｂが長孔１２ｃの上端位置にそれぞれ相対移動するが、このとき、突起１６ｂに設けたピン１６ｄが、作動体下側長孔１５ｂの傾斜面に沿って上端位置に移動する。この移動に伴い、作動体１５は上側ピン１８ａを支点として左右方向固定歯１４側に揺動し、これによって可動歯１４は、ボルト１７を支点として復帰弾機２２の付勢力に抗して固定歯１３から離間して拡開する方向に揺動し、挟持可能姿勢となるようになっている。尚、固定歯１３には、針を係止するための係止孔１３ｂが穿設されている。
【００１７】
叙述の如く構成された本発明の実施の形態において、魚が釣れた場合、魚掴み器１の握り部２を把持した状態で操作体１６の前記引き上げ操作をして可動歯１４を固定歯１３から拡開させ、魚の針掛かりしている口の下顎（一般に魚は下顎が強く、ダメージを受けにくい）を挟むようにしてに固定歯１３、可動歯１４の何れかを入れ、操作体１６を離すと、可動歯１４が揺動して閉じて下顎を両歯１３、１４で挟持することになる。この状態で針を外せば、魚体を触ることなく針外しができ、魚にダメージを与えることがない。
そして握り部２を持ってそのまま持上げると、今度は握り部２に設けた可動体１０がコイル弾機９の付勢力に抗して握り部４から出てくることになって魚の体重を測定できる。
【００１８】
このように本実施の形態の魚掴み器１は、魚掴み機構と計量機構とが備わったものであるが、リールのドラグ調整をする場合、リールが取付けられている竿を、竿先が斜め上方を向く状態で竿尻を固定し、該リールに巻装のテグスに連結された針を係止孔１３ｂに係止する状態で魚掴み器１を引っ張ると、竿が撓むと共にテグスが緊張状態となり、この引っ張り力を受けて可動体１０が出てくる。そしていま、テグスが前述したように６ポンドの強度のものであって、その２５％のドラグ力としたい場合、前記引っ張り操作をしてドラグ用目盛り１０ｂが数値「６」のところを指する以前にテグスが出てしまうときにはドラグを強くし、数値「６」を過ぎてもテグスが出てこないときにはドラグ力を弱くし、このようにして丁度数値「６」を指すあたりで道糸が出るようなでないような状態に調整することでドラグ調整ができることになる。
【００１９】
このように、本発明が実施されたものにおいては、魚掴み器１に設けられる計り機構を用いてリールのドラグ調整ができることになるが、その場合のドラグ用目盛り１０ｂは、道糸の強度に所望の割合を乗じた目盛り位置に、道糸強度の数値として記載されている結果、ドラグ調整をする場合に、量り用目盛り１０ａに所望の割合をいちいち乗じて計算するような必要がなく、ドラグ調整を迅速かつ確実に行うことができる。
【００２０】
しかもこのものでは、魚掴み器１を構成する量り部２に対して挟持部３が、可動歯１４側に偏寄する状態で傾斜しているため、握り部４を手で把持しての計量および針外しが、まっすぐのものよりもし易く、かつ咄嗟の場合や暗がりでの操作時にも持つ方向が判りやすいよう配慮されている。
【００２１】
そのうえこのものでは、魚への係止は、握り部４を握った状態でリング状の指掛け部１６ｉに指を入れて引き上げることにより可動歯１４が開放作動し、この状態で魚の口に一方の歯を入れ指掛け部１６ｉを離せば自動的に魚の口（下顎）を挟持する状態となって魚掴みができ、この結果、握り部４を握った方の手による魚つかみ操作および体重の計測操作ができることになって操作性が向上する。
【図面の簡単な説明】
【００２２】
【図１】魚掴み器の全体正面図である。
【図２】魚掴み器の全体背面図である。
【図３】魚掴み器の全体側面図である。
【図４】魚掴み器の全体斜視図である。
【図５】魚掴み器の量り部を縦断面した全体側面図である。
【図６】魚掴み器の量り部を縦断面した全体正面図である。
【図７】魚掴み器の握り部およびガイド筒を縦断面した否計測状態を示す量り部の側面図である。
【図８】魚掴み器の握り部およびガイド筒を縦断面した計測状態を示す量り部の側面図である。
【図９】魚掴み器の第二本体を省略した閉鎖状態を示す挟持部の正面図である。
【図１０】魚掴み器の第二本体を省略した開放状態を示す挟持部の正面図である。
【図１１】魚掴み器の挟持部の分解斜視図である。
【図１２】魚の体重を計測している状態を示す作用説明図である。
【図１３】目盛り部の拡大図である。
【符号の説明】
【００２３】
１    魚掴み器
２    量り部
３    挟持部
９    コイル弾機
１０    可動体
１０ａ  量り用目盛り
１０ｂ  ドラグ用目盛り
１３    固定歯
１４    可動歯
１６    操作体
【図１】
2006204300.tif 000003
【図２】
2006204300.tif 000004
【図３】
2006204300.tif 000005
【図４】
2006204300.tif 000006
【図５】
2006204300.tif 000007
【図６】
2006204300.tif 000008
【図７】
2006204300.tif 000009
【図８】
2006204300.tif 000010
【図９】
2006204300.tif 000011
【図１０】
2006204300.tif 000012
【図１１】
2006204300.tif 000013
【図１２】
2006204300.tif 000014
【図１３】
2006204300.tif 000015